【手続補正書】
【提出日】平成21年10月15日(2009.10.15)
【手続補正１】
【補正対象書類名】特許請求の範囲
【補正対象項目名】全文
【補正方法】変更
【補正の内容】
【特許請求の範囲】
【請求項１】
顕微鏡用スライドのカバースリップであって、
第１表面と第２表面と外側周辺縁部とを有するガラスまたはプラスチックの板を備えており、該第１表面は自身の上に接着剤コーティングが配置されて粘着面を形成し、該第２表面は接着剤コーティングがなくて非粘着面を形成し、該粘着面は溶剤によって活性化されて粘着性の状態を形成するまで乾燥した非粘着性の状態を有し、該ガラスまたはプラスチックの板は、該第１表面、第２表面、または外側周辺縁部の上に、該ガラスまたはプラスチックの板の該粘着面を該非粘着面と区別するため、または該顕微鏡用スライドのカバースリップに関する識別表示を提供するための指標をさらに備え、該指標は、該第１表面または第２表面より上に延びる場合には、２．５４×１０−３ｍｍ以下の高さを有する、顕微鏡用スライドのカバースリップ。
【請求項２】
前記指標は、前記ガラスまたはプラスチックの板の前記非粘着面の上に配置されている、請求項１に記載の顕微鏡用スライドのカバースリップ。
【請求項３】
前記指標は、前記ガラスまたはプラスチックの板の前記粘着面の上に配置されている、請求項１に記載の顕微鏡用スライドのカバースリップ。
【請求項４】
前記指標は、前記ガラスまたはプラスチックの板の前記外側周辺縁部の上に配置されている、請求項１に記載の顕微鏡用スライドのカバースリップ。
【請求項５】
前記指標は、点、円、マーク、符号、バーコード、ラベル、キャラクター、形状、記号、文字、数字、線、印、前記ガラスまたはプラスチックの板の物理的改変、パターン、色、ホログラフィックイメージ、虹色の像、切欠き、穴、くぼみ、先端が切り取られた角、刻み目、切り込み、または側方に延びる隆起、あるいはこれらの組み合わせのうちの少なくとも１つである、請求項１〜４のいずれか１項に記載の顕微鏡用スライドのカバースリップ。
【請求項６】
前記指標は機械可読である、請求項１〜５のいずれか１項に記載の顕微鏡用スライドのカバースリップ。
【請求項７】
前記指標は特有である、請求項１〜６のいずれか１項に記載の顕微鏡用スライドのカバースリップ。
【請求項８】
前記指標は、前記ガラスまたはプラスチックの板の上に非対称に配置されている、請求項１〜７のいずれか１項に記載の顕微鏡用スライドのカバースリップ。
【請求項９】
前記指標は、患者、患者の検査、または生物試料に関する情報を表す、請求項１〜８のいずれか１項に記載の顕微鏡用スライドのカバースリップ。
【請求項１０】
前記指標が、接着剤活性化溶剤に曝すと、無色、不可視または除去可能になる、請求項１〜９のいずれか１項に記載の顕微鏡用スライドのカバースリップ。
【請求項１１】
顕微鏡用スライドに接着した請求項１〜１０のいずれか１項に記載の顕微鏡用スライドのカバースリップを備える、顕微鏡スライド−カバースリップアセンブリ。
【請求項１２】
顕微鏡用スライド−カバースリップアセンブリを形成する方法であって、
第１表面と第２表面と外側周辺縁部とを有するガラスまたはプラスチックの板を備える顕微鏡用スライドのカバースリップを提供することであって、該第１表面は自身の上に接着剤コーティングが配置されて粘着面を形成し、該第２表面は接着剤コーティングがなくて非粘着面を形成し、該粘着面は溶剤によって活性化されて粘着性の状態を形成するまで乾燥した非粘着性の状態を有し、該ガラスまたはプラスチックの板は、該第１表面、第２表面、または外側周辺縁部の上に、該顕微鏡用スライドのカバースリップに関する識別表示を提供するため、または該ガラスまたはプラスチックの板の該粘着面を該非粘着面と区別するための指標をさらに備え、該指標は、該第１表面または第２表面より上に延びる場合には、２．５４×１０−３ｍｍ以下の高さを有する、ことと、
自身の上面に試料を有する顕微鏡用スライドを準備することと、
該接着剤コーティングを該溶剤に曝すことによって、該顕微鏡用スライドのカバースリップの該粘着面の上の該接着剤コーティングを活性化することと、
該顕微鏡用スライドのカバースリップの該粘着面を該顕微鏡用スライドの該上面に当てて配置し、それによって該顕微鏡用スライドのカバースリップを該顕微鏡用スライドに添付して、該顕微鏡用スライド−カバースリップアセンブリを形成することと
を含む、方法。
【請求項１３】
前記顕微鏡用スライドのカバースリップの前記指標は、前記ガラスまたはプラスチックの板の前記非粘着面の上に配置されている、請求項１２に記載の方法。
【請求項１４】
前記顕微鏡用スライドのカバースリップの前記指標は、前記ガラスまたはプラスチックの板の前記粘着面の上に配置されている、請求項１２に記載の方法。
【請求項１５】
前記顕微鏡用スライドのカバースリップの前記指標は、点、円、マーク、符号、バーコード、ラベル、キャラクター、形状、記号、文字、数字、線、印、前記ガラスまたはプラスチックの板の物理的改変、パターン、色、ホログラフィックイメージ、もしくは虹色の像、切欠き、穴、くぼみ、先端が切り取られた角、刻み目、切り込み、または側方に延びる隆起のうちの少なくとも１つである、請求項１２〜１４のいずれか１項に記載の方法。
【請求項１６】
前記顕微鏡用スライドのカバースリップの前記指標は、前記ガラスまたはプラスチックの板の前記外側周辺縁部の上に配置されている、請求項１２〜１５のいずれか１項に記載の方法。
【請求項１７】
前記顕微鏡用スライドのカバースリップの前記指標は機械可読である、請求項１２〜１６のいずれか１項に記載の方法。
【請求項１８】
前記顕微鏡用スライドのカバースリップの前記指標は特有である、請求項１２〜１７のいずれか１項に記載の方法。
【請求項１９】
前記顕微鏡用スライドのカバースリップの前記指標は、前記ガラスまたはプラスチックの板の上に非対称に配置されている、請求項１２〜１８のいずれか１項に記載の方法。
【請求項２０】
前記顕微鏡用スライドのカバースリップの前記指標は、患者、患者の検査、または生物試料に関する情報を表す、請求項１２〜１９のいずれか１項に記載の方法。
【請求項２１】
前記顕微鏡用スライドのカバースリップは、自動カバースリップ取付け機によって前記顕微鏡用スライドに取り付けられる、請求項１２〜２０のいずれか１項に記載の方法。
【請求項２２】
前記顕微鏡用スライドのカバースリップの前記指標は、接着剤活性化溶剤に曝すと、無色、不可視または除去可能になる、請求項１２〜２１のいずれか１項に記載の方法。
【請求項２３】
顕微鏡用スライドのカバースリップであって、
第１表面と第２表面と外側周辺縁部とを有するガラスまたはプラスチックの板を備えており、該第１表面は自身の上に接着剤コーティングが配置されて粘着面を形成し、該第２表面は接着剤コーティングがなくて非粘着面を形成し、該粘着面は溶剤によって活性化されて粘着性の状態を形成するまで乾燥した非粘着性の状態を有し、該ガラスまたはプラスチックの板は、該第１表面、第２表面、または外側周辺縁部の上に、該ガラスまたはプラスチックの板の該粘着面を該非粘着面と区別するため、または該顕微鏡用スライドのカバースリップに関する識別表示を提供するための指標をさらに備え、該顕微鏡用スライドのカバースリップの該指標は機械可読である、顕微鏡用スライドのカバースリップ。
【請求項２４】
前記指標は、点、円、マーク、符号、バーコード、ラベル、キャラクター、形状、記号、文字、数字、線、印、パターン、色、ホログラフィックイメージ、もしくは虹色の像のうちの少なくとも１つである、請求項２３に記載の顕微鏡用スライドのカバースリップ。
【請求項２５】
顕微鏡用スライドに接着した請求項２３〜２４のいずれか１項に記載の顕微鏡用スライドのカバースリップを備える、顕微鏡スライド−カバースリップアセンブリ。
【請求項２６】
顕微鏡用スライド−カバースリップアセンブリを形成する方法であって、
第１表面と第２表面と外側周辺縁部とを有するガラスまたはプラスチックの板を備える顕微鏡用スライドのカバースリップを提供することであって、該第１表面は自身の上に接着剤コーティングが配置されて粘着面を形成し、該第２表面は接着剤コーティングがなくて非粘着面を形成し、該粘着面は溶剤によって活性化されて粘着性の状態を形成するまで乾燥した非粘着性の状態を有し、該ガラスまたはプラスチックの板は、該第１表面、第２表面、または外側周辺縁部の上に、または該顕微鏡用スライドのカバースリップに関する識別表示を提供するため、または該ガラスまたはプラスチックの板の該粘着面を該非粘着面と区別するための指標をさらに備え、該顕微鏡用スライドのカバースリップの該指標は機械可読である、ことと、
自身の上面に試料を有する顕微鏡用スライドを準備することと、
該接着剤コーティングを該溶剤に曝すことによって、該顕微鏡用スライドのカバースリップの該粘着面の上の該接着剤コーティングを活性化することと、
該顕微鏡用スライドのカバースリップの該粘着面を該顕微鏡用スライドの該上面に当てて配置し、それによって該顕微鏡用スライドのカバースリップを該顕微鏡用スライドに添付して、顕微鏡用スライド−カバースリップアセンブリを形成することと
を含む、方法。
【請求項２７】
前記指標は、点、円、マーク、符号、バーコード、ラベル、キャラクター、形状、記号、文字、数字、線、印、パターン、色、ホログラフィックイメージ、もしくは虹色の像のうちの少なくとも１つである、請求項２６に記載の方法。